(57)【要約】【課題】レーザ穿刺の瞬間を意識させず、使用者の痛みへの検知レベルが低い状態を作り、穿刺時の痛みが少ないレーザ穿刺装置およびレーザ穿刺方法を提供する。【解決手段】本発明は、レーザ光を皮膚に照射し、穿刺を行なうレーザ穿刺装置であって、周期音を発生させた後に穿刺を行なう。ここで周期音とは、ポンプやエンジン音など単調に繰り返される音や、メトロノーム音など繰返しのテンポがある範囲の音を意味する。（ａ）は、ポンプやエンジン音など単調に繰り返される音の強さを示す。単調に繰り返される音は、その中心周波数が２０〜１００Ｈｚである低周波音であり、更に望ましくは４０〜７０Ｈｚである。（ｂ）は、メトロノーム音など繰返しのテンポがある範囲の音の強さを示す。繰返しのテンポは、メトロノームの目盛りで表現するならば６０〜２０８の範囲であり、更に望ましくは１２０〜１８０である。【選択図】図３
2008194348.tif 000002
【特許請求の範囲】
【請求項１】
皮膚にレーザ光を照射することにより穿刺を行なうレーザ穿刺装置であって、
周期音を発生させる周期音発生手段を備え、
周期音発生中に穿刺を行なうものであるレーザ穿刺装置。
【請求項２】
請求項１記載のレーザ穿刺装置であって、
前記周期音は、中心周波数が２０〜１００Ｈｚの単調に繰り返される音であるものであるレーザ穿刺装置。
【請求項３】
請求項２記載のレーザ穿刺装置であって、
前記単調に繰り返される音は、ポンプの動作音、およびエンジン音を含むものであるレーザ穿刺装置。
【請求項４】
請求項１記載のレーザ穿刺装置であって、
前記周期音は、１分間に６０〜２０８拍の繰返しのテンポを有する音であるレーザ穿刺装置。
【請求項５】
請求項４記載のレーザ穿刺装置であって、
前記繰返しのテンポを有する音は、メトロノーム音、機械スイッチのＯＮ／ＯＦＦ音、およびキーボードをたたく音を含むものであるレーザ穿刺装置。
【請求項６】
請求項１記載のレーザ穿刺装置であって、
前記周期音発生手段は、音質または周期が異なる複数種類の周期音を発生させ、穿刺ごとに、発生させる周期音の種類をランダムに変更するものであるレーザ穿刺装置。
【請求項７】
請求項１記載のレーザ穿刺装置であって、
前記周期音の発生から穿刺までの時間が、穿刺ごとにランダムに変更されるものであるレーザ穿刺装置。
【請求項８】
皮膚にレーザ光を照射することにより穿刺を行なうレーザ穿刺方法であって、
音質または周期が異なる複数種類の周期音から、所定の周期音をランダムに選択して発生させるステップと、
所定の周期音の発生からランダム時間の経過後に穿刺を行なうステップとを有するレーザ穿刺方法。
【発明の詳細な説明】
【技術分野】
【０００１】
本発明は、生体の皮膚をレーザ光により穿刺するレーザ穿刺装置およびレーザ穿刺方法に関する。
【背景技術】
【０００２】
従来より、レーザ光により皮膚を穿刺（レーザ穿刺）する際、使用者の痛みを軽減させる技術が検討されている。図７は、従来のレーザ穿刺装置の操作フローチャートを示す。従来のレーザ穿刺装置では、装置のスタートボタンを押すと、ステップＳ１でスイッチが半押しであるか否かを判断する。音を発生させたい場合（Ｙｅｓの場合）はスイッチを半押しにしステップＳ２に進み、スピーカから音楽等の音が発生する。次にステップＳ３では、穿刺スイッチを押すことでステップＳ４に進み穿刺が行われる。次いで、一定時間経過後にステップＳ５に進みスピーカから流れる音を停止する。
【０００３】
一方、ステップＳ１でスイッチを半押ししない場合には、ステップＳ６に進んで穿刺スイッチを押す。これにより、ステップＳ７ではスピーカからの音が流れず穿刺が行われる（例えば特許文献１参照）。このように従来のレーザ穿刺装置では、レーザ穿刺装置にスピーカを設け、音楽や、穿刺時の動作音をキャンセルする音を発生するようにしていた。これにより、穿刺時の痛みを軽減していた。
【０００４】
【特許文献１】特開２００５−１３１０８８号公報
【発明の開示】
【発明が解決しようとする課題】
【０００５】
しかしながら、いつも同じ音楽等を聞いているとその音楽等に慣れてしまい、使用者の意識を音楽等に集中できなくなり、穿刺時の痛みを軽減することができない。
【０００６】
また、穿刺スイッチを押してからレーザ穿刺が行われるタイミングがいつも同じであるため、使用者が無意識にレーザ穿刺のタイミングを意識してしまい、穿刺時の痛みを軽減することができない。
【０００７】
本発明は、上記従来の事情に鑑みてなされたものであって、レーザ穿刺の瞬間を意識させず、使用者の痛みへの検知レベルが低い状態を作り、穿刺時の痛みが少ないレーザ穿刺装置およびレーザ穿刺方法を提供することを目的としている。
【課題を解決するための手段】
【０００８】
本発明に係るレーザ穿刺装置は、皮膚にレーザ光を照射することにより穿刺を行なうレーザ穿刺装置であって、周期音を発生させる周期音発生手段を備え、周期音発生中に穿刺を行なうものである。
【０００９】
上記構成によれば、周期音を発生させることで使用者の意識をそらし、穿刺の瞬間を意識させないことで、痛みを感じる閾値レベルが低い状態を作り、この状態でレーザ穿刺を行なうため、穿刺時の痛みを低減することができる。
【００１０】
また、本発明に係るレーザ穿刺装置は、前記周期音が、中心周波数が２０〜１００Ｈｚの単調に繰り返される音であるものである。
【００１１】
上記構成によれば、単調に繰り返される音に使用者の意識を向けさせ、使用者の痛みへの検知レベルが低い状態を作って穿刺するので、穿刺時の痛みを軽減することができる。
【００１２】
また、本発明に係るレーザ穿刺装置は、前記単調に繰り返される音が、ポンプの動作音、およびエンジン音を含むものである。
【００１３】
上記構成によれば、ポンプの動作音およびエンジン音などの単調に繰り返される音に使用者の意識を向けさせ、使用者の痛みへの検知レベルが低い状態を作って穿刺するので、穿刺時の痛みを軽減することができる。
【００１４】
また、本発明に係るレーザ穿刺装置は、前記周期音が、１分間に６０〜２０８拍の繰返しのテンポを有する音である。
【００１５】
上記構成によれば、繰返しのテンポがある音に使用者の意識を向けさせ、使用者の痛みへの検知レベルが低い状態を作って穿刺するので、穿刺時の痛みを軽減することができる。
【００１６】
また、本発明に係るレーザ穿刺装置は、前記繰返しのテンポを有する音が、メトロノーム音、機械スイッチのＯＮ／ＯＦＦ音、およびキーボードをたたく音を含むものである。
【００１７】
上記構成によれば、メトロノーム音、機械スイッチのＯＮ／ＯＦＦ音、およびキーボードをたたく音などの繰返しのテンポがある音に使用者の意識を向けさせ、使用者の痛みへの検知レベルが低い状態を作って穿刺するので、穿刺時の痛みを軽減することができる。
【００１８】
また、本発明に係るレーザ穿刺装置は、前記周期音発生手段が、音質または周期が異なる複数種類の周期音を発生させ、穿刺ごとに、発生させる周期音の種類をランダムに変更するものである。
【００１９】
上記構成によれば、音質または周期が異なる複数種類の周期音がランダムに変更されるので、使用者が周囲音に慣れることがなく、穿刺から意識をそらせるので、レーザ穿刺装置を使い続けた場合であっても、穿刺時の痛みを軽減する効果を維持できる。
【００２０】
また、本発明に係るレーザ穿刺装置は、前記周期音の発生から穿刺までの時間が、穿刺ごとにランダムに変更されるものである。
【００２１】
上記構成によれば、周期音の発生から穿刺までの時間がランダムに変更されるので、使用者がレーザ穿刺のタイミングを予測することができず、穿刺時の痛みを軽減することができる。
【００２２】
また、本発明に係るレーザ穿刺方法は、皮膚にレーザ光を照射することにより穿刺を行なうレーザ穿刺方法であって、音質または周期が異なる複数種類の周期音から、所定の周期音をランダムに選択して発生させるステップと、所定の周期音の発生からランダム時間の経過後に穿刺を行なうステップとを有する。
【００２３】
上記構成によれば、音質または周期が異なる複数種類の周期音がランダムに変更されるので、使用者が周囲音に慣れることがなく、また、周期音の発生から穿刺までの時間がランダムに変更されるので、使用者がレーザ穿刺のタイミングを予測することができず、穿刺時の痛みを軽減することができる。
【発明の効果】
【００２４】
本発明によれば、周期音を発生させることで使用者の意識をそらし、穿刺の瞬間を意識させないことで、痛みを感じる閾値レベルが低い状態を作り、この状態でレーザ穿刺を行なうため、穿刺時の痛みを低減することができる。
【発明を実施するための最良の形態】
【００２５】
まず、本発明に至るまでの検討内容について説明する。発明者は、採血時の痛みについて検討した結果、採血のための人の皮膚への穿刺はその手段が直接的な針であれ、間接的なレーザ光であれ、生体との相互作用がある以上、作用に対する反作用の反応が生体に与えられ、また痛みの感覚機構が、痛みを検知する真皮の表皮側の自由神経終末への刺激による神経反応であり、痛みの感覚は神経反応量が痛み検知しきい値以上で感じることを見出した。
【００２６】
すなわち、痛みの少ない穿刺を実現するには、神経反応量が痛み検知しきい値以下になるようにするか、痛み検知しきい値を十分高くする手段が考えられる。神経反応量を小さくするためには、自由神経終末がない場所に、他の自由神経終末に掛からないように穿刺を行えばいいのであるが、一般的な採血場所である指先は自由神経終末の密度が高く、これを避けることは容易ではない。
【００２７】
ところで、痛み検知しきい値は、外部からある程度制御可能であることが判明した。すなわち、痛み検知しきい値を下げる働きは、人の刺激への意識によって変化することを見出した。意識は、穿刺のタイミング以外に意識を集中させることで下げることが出来る。
【００２８】
具体的には、ポンプの動作音やエンジン音などの周期音を聞かせながらレーザ穿刺装置を使用させると、穿刺のタイミング以外の周期音に使用者の意識が集中し、レーザ穿刺時の刺激による痛みへの感覚が低下することを発見した。
【００２９】
なお、周期音は何種類か用意し都度ランダムに変更すると良い。また、周期音の発生からレーザ穿刺までのタイミングを都度ランダムに変更すると良い。これは、いつも同じ周期音を聞いているとその音に慣れてしまい、使用者の意識を周期音に集中できなくなるためであり、レーザ穿刺までのタイミングについてもいつも同じであると使用者が無意識にレーザ穿刺のタイミングを意識してしまうからである。
【００３０】
図１は、本発明の実施形態にかかるレーザ穿刺装置１の概略図である。レーザ穿刺装置１は、本体２と動作電源を含むレーザ発振器９、集光レンズ１２、穿刺キャップ７、制御基板１１、電池１０、動作スイッチ５、設定ボタン４、ディスプレー３、およびスピーカ１７から構成され、電池１０と制御基板１１およびレーザ発振器９、制御基板１１とレーザ発振器９、設定ボタン４、ディスプレー３、動作スイッチ５およびスピーカ１７は電気的および信号的に接続されている。スピーカー１７は、後述するように、内部で生成された制御信号に基づいて周期音を発生させる。
【００３１】
図２は、本発明の実施形態にかかるレーザ穿刺装置１の動作フローチャートである。フローチャートに従って動作を説明する。まず使用者が動作スイッチ５を押すと（ステップＳ１１）、レーザ穿刺装置１が始動を始める。次に、使用者はレーザ穿刺条件などの条件を設定ボタン４で設定する（ステップＳ１２）。
【００３２】
設定後、使用者は穿刺箇所である指を穿刺キャップ７に押し付ける。この際、穿刺キャップ７を交換することもあり得る（ステップＳ１３）。次に、使用者が動作スイッチ５をもう一回押すと（ステップＳ１４）、周期音がスピーカ１７から鳴り始める（ステップＳ１７）と共に、レーザ発振器９の動作電源がスタンバイ状態となる（ステップＳ１５）。
【００３３】
次に、あるタイミングでレーザ発振器９はレーザパルス光を発振し、発振されたレーザ光は集光レンズ１２で集光され、中空の穿刺キャップ７内でそのビーム径を細くしながら、使用者の指の皮膚に集光されレーザ光が皮膚に吸収され、皮膚が加熱・蒸発することで穿刺を行なう（ステップＳ１６）。
【００３４】
穿刺により皮膚の表皮と真皮のごく表面が蒸発し、真皮の例えば真皮乳頭内の毛細血管が損傷し血液が滲み出し、穿刺された孔を通って血液が皮膚の表面に染み出す。レーザ穿刺後ある一定時間の後、周期音は消える（ステップＳ１８）。
【００３５】
本実施形態のレーザ穿刺装置１によれば、使用者は周期音に意識が集中するのでレーザ穿刺のタイミングを待ち構えることが出来ず、痛みの感覚のしきい値が低い状態でレーザ穿刺を行い、痛みを軽減することが出来る。
【００３６】
また、周期音は数種類あり、かつ周期音の発生（ステップＳ１７）からレーザ穿刺（ステップＳ１６）のタイミングが都度ランダムに変更されるので、この周期音やタイミングに慣れることなく意識をレーザ穿刺以外に集中させることが出来る。
【００３７】
図３は、本発明の実施形態にかかるレーザ穿刺装置１で使用する周期音の具体例を示す図である。ここで周期音とは、ポンプやエンジン音など単調に繰り返される音や、メトロノーム音など繰返しのテンポがある範囲の音を意味する。
【００３８】
図３（ａ）は、ポンプやエンジン音など単調に繰り返される音の強さを示す図である。単調に繰り返される音は、その中心周波数が２０〜１００Ｈｚである低周波音であり、更に望ましくは４０〜７０Ｈｚである。これにより、使用者に不快感を与えることなくその意識を音に向かわせることが可能となる。
【００３９】
図３（ｂ）は、メトロノーム音など繰返しのテンポがある範囲の音の強さを示す図である。繰返しのテンポがある音には、他に機械スイッチのＯＮ／ＯＦＦ音や、キーボードをたたく音などがある。繰返しのテンポは、メトロノームの目盛り（１分間に何拍かを示す）で表現するならば６０〜２０８の範囲であり、更に望ましくは１２０〜１８０である。これにより、使用者にイライラ感を与えることなくその意識をテンポに向かわせることが可能となる。
【００４０】
図４は、本実施形態のレーザ穿刺装置１の内部構成を示すブロック図である。同図に示すように、レーザ穿刺装置１には、穿刺手段であるレーザ発振器９と、ディスプレー３と、動作スイッチ５と、設定ボタン４と、ＣＰＵ２１と、ＣＰＵ２１に周囲音処理を行わせるためのプログラム１９および周期音情報２０を格納するメモリ１８と、周期音を発生するための周期音処理部２２と、音源であるスピーカ１７とが設けられている。
【００４１】
メモリ１８には周期音情報２０として、ポンプやエンジン音など単調に繰り返される音、メトロノーム音など繰返しのテンポがある音等の複数の周期音情報が格納されている。ＣＰＵ２１は、メモリ１８に格納されたプログラム１９に従って、設定ボタン４からレーザ穿刺条件などが設定された後に動作スイッチ５が押されると、ランダム関数に従って発生させたランダム値に対応する所定の周期音情報２０をメモリ１８から読み出し、周期音処理部２２に転送して、スピーカ１７から所定の周期音を発生させる。
【００４２】
その後、ＣＰＵ２１は、ランダム関数に従って発生させたランダム時間の経過後、レーザ発振器９からレーザパルス光を皮膚に照射させ穿刺を行なう。このように、本実施形態のレーザ穿刺装置１では、穿刺時にランダムな周期音が発生し、かつ周期音の発生からレーザ穿刺のタイミングがランダムに変更されるので、使用者の意識を穿刺からそらせ、またレーザ穿刺のタイミングを待ち構えることを困難にして、穿刺時の痛みを軽減することができる。
【００４３】
図５は、本発明の実施形態のレーザ穿刺装置１における穿刺キャップ７の概略図である。穿刺キャップ７は、中空体１３をベースとした形状であり、種々のプラスチック材料が利用可能であり、ポリエチレン、ポリ塩化ビニル、ポリプロピレン、ポリスチレン、ポリ酢酸ビニル、ＡＢＳ樹脂、ＡＳ樹脂、アクリル樹脂、ポリアセタール、ポリイミド樹脂、ポリカーボネート、変性ポリフェニレンエーテル（ＰＰＥ）、ポリブチレンテレフタレート（ＰＰＢ）、ポリアリレート、ポリスルホン、ポリフェニレンスルフィド、ポリエーテルエーテルケトン、フッ素樹脂などである。望ましくは、プラスチック表面のゼータ電位が低い材料が良い。
【００４４】
本体側の開口には集光レンズ保護フィルム６が装着されている。この集光レンズ保護フィルム６は、レーザ穿刺時に皮膚から蒸発した組織片が集光レンズ１２に付着して集光レンズ１２を汚染するのを防ぐ役割がある。集光レンズ保護フィルム６の基材には、ナイロン、ポリエステル、ポリイミド、フッ素系、塩化ビニル、ポリエチレン、ポリオレフィン、ポリビニルアルコール、ポリプロピレン等が利用可能である。
【００４５】
人の皮膚（指など）が当たる部分である開口にも穿刺フィルム８が設けられており、基材には、ナイロン、ポリエステル、ポリイミド、フッ素系、塩化ビニル、ポリエチレン、ポリオレフィン、ポリビニルアルコール、ポリプロピレン等が利用可能である。
【００４６】
次に、動作について説明する。まず使用者が動作スイッチ５を押すとレーザ穿刺装置１が始動を始める。次に使用者は、レーザ穿刺装置１の動作条件を設定ボタン４を使用して入力する。入力後、使用者は穿刺キャップ７を本体２に挿入し、穿刺箇所である指を穿刺キャップ７に押し付ける。
【００４７】
準備完了後、ディスプレー３にスタンバイが表示され、使用者が動作スイッチ５をもう一回押すと、周期音がスピーカ１７から鳴り始めるとともに、レーザ発振器９はレーザパルス光を発振し、発振されたレーザ光は集光レンズ１２で集光され、中空の穿刺キャップ７内でそのビーム径を細くしながら、使用者の指の皮膚に集光されレーザ光が皮膚に吸収され、皮膚が加熱・蒸発することで穿刺を行う。穿刺により皮膚の表皮と真皮のごく表面が蒸発し、真皮の例えば真皮乳頭内の毛細血管が損傷し血液が滲み出し、穿刺された孔を通って血液が皮膚の表面に染み出す。
【００４８】
このとき、集光レンズ保護フィルム６には孔は開かず、他方、皮膚が押し当てられた方の穿刺フィルム８はレーザ光を吸収して孔が開き、この孔を通じて先のレーザ穿刺が行われる。レーザ穿刺時に皮膚の蒸発によって発生したプルームは穿刺フィルム８の孔を通して中空体１３の内部に拡散する。
【００４９】
プルーム内には、皮膚の組織を構成するタンパク質の構成要素であるアミノ酸が分解した揮発性物質が漂っており、レーザ穿孔時の主たる対象である角質層はタンパク質ケラチンの繊維状組織からなり、比較的多く含まれるアミノ酸シスチンの硫黄部分の結合であるシスチン結合により繊維間が結合している。これらアミノ酸が蒸発時に分解することで揮発性の硫黄化合物や窒素化合物が発生し、特に硫黄化合物を人は異臭と感じる。
【００５０】
そこで、穿刺キャップ７の内部はプルームの異臭成分に対する消臭機能を持たせてある。主な硫黄化合物としては、硫化水素やメチルメルカプタンがあげられる。硫化水素は化学吸着剤によって脱臭が可能であり、マンガン、銅、コバルトの複合酸化物を用いることができる。なお、マンガン、銅、亜鉛、コバルトのいずれかを含む酸化物、水酸化物、複合酸化物あるいはその混合物とすることにより、同様に硫化水素に対する強力な化学吸着作用を有する吸着剤とすることができる。
【００５１】
化学吸着剤は、硫化水素を最終的に硫酸塩の形や硫黄単体として化学吸着するものである。また、同じ硫黄系臭気であるメチルメルカプタンを、より閾値の高い二硫化ジメチルに転化する媒作用も有する。この作用のため、脱臭されたのと同等の効果を感じうることができる。
【００５２】
さらに、物理吸着剤を担持させておくことにより、二硫化ジメチルを物理吸着作用により除去できるため硫黄化合物を全般的に除去することが可能となる。物理吸着剤として、シリカ分の多い疎水性ゼオライトを用いることができ、その他ゼオライト、セピオライト、シリカ、アルミナ等を用いても同様な効果が得られる。
【００５３】
これら化学吸着剤と物理吸着剤を、集光レンズ保護フィルム６、穿刺フィルム８または穿刺キャップ７の基材に添加する。あるいは、集光レンズ保護フィルム６、穿刺フィルム８または穿刺キャップ７の内部に塗布することも可能である。
【００５４】
また、穿刺フィルム８は使用者の指と接触するので抗菌性を持たせると好適である。抗菌性は、基材への塗布や練り込みで実施できる。抗菌剤としては、Ａｇ、Ｃｕ、Ｚｎ、Ｎｉ、Ｃｏやその合金、ＴｉＯ２、ＺｎＯ、ＷＯ３等があげられる。なお、抗菌性は穿刺フィルム８に限らず、穿刺キャップ７の中空体１３または集光レンズ保護フィルム６の外表面に施すことも有益である。
【００５５】
図６（ａ）は、本発明の実施形態のレーザ穿刺装置１における他の穿刺キャップ１４の概略図である。この穿刺キャップ１４は、皮膚が押し当てられる側の開口径が突起１５により制御されている。突起１５により、最適な皮膚の押し当てを実現する径とその深さに設定されており、確実な採血を可能にしている。
【００５６】
図６（ｂ）は、レーザ穿孔時のレーザ穿孔箇所の拡大図である。使用者は、穿刺キャップ１４を皮膚１６のレーザ穿孔予定箇所に当てる。この時、突起１５が穿刺フィルム８より１〜３ミリメートルほど突出しており、この突起１５が皮膚１６を押すようになる。これにより、レーザ穿孔予定箇所の周囲を刺激することになる。このため、レーザ穿孔時に使用者が感じる刺激を緩和することが可能となる。
【００５７】
以上説明したように、本実施形態のレーザ穿刺装置１によれば、周期的なダミー音を生成しこれに使用者の意識をそらし、穿刺タイミングを意識させないことで、痛みを感じる閾値レベルが低い状態でレーザ穿刺を行なうことができる。
【００５８】
また、穿刺時にランダムな周期音が発生し、かつ周期音の発生からレーザ穿刺のタイミングがランダムに変更されるので、使用者の意識を穿刺からそらし、またレーザ穿刺のタイミングを待ち構えることを困難にして、穿刺時の痛みを軽減することができる。
【００５９】
また、本実施形態のレーザ穿刺装置１によれば、穿刺フィルム８、中空体１３および集光レンズ保護フィルム６で閉空間を形成でき、レーザ光で穿刺フィルム８に孔を開けこの孔越しに皮膚にレーザ穿刺することで、発生したプルームをこの閉空間に閉じ込めることができる。
【００６０】
さらに、穿刺フィルム８、中空体１３および集光レンズ保護フィルム６に設けられた消臭機能により異臭を無臭化でき、抗菌機能も設けられているので感染の恐れがない。さらに、この穿刺キャップ７，１４は交換可能なので、使用毎に交換することで感染を防止することができる。
【産業上の利用可能性】
【００６１】
本発明は、レーザ穿刺の瞬間を意識させず、使用者の痛みへの検知レベルが低い状態を作り、穿刺時の痛みを低減させることができるレーザ穿刺装置およびレーザ穿刺方法として利用可能である。
【図面の簡単な説明】
【００６２】
【図１】本発明の実施形態にかかるレーザ穿刺装置１の概略図
【図２】本発明の実施形態にかかるレーザ穿刺装置１の動作フローチャート
【図３】本発明の実施形態にかかるレーザ穿刺装置１で使用する周期音の具体例を示す図
【図４】本発明の実施形態にかかるレーザ穿刺装置１のブロック図
【図５】本発明の実施形態のレーザ穿刺装置１における穿刺キャップ７の概略図
【図６】本発明の実施形態のレーザ穿刺装置１における他の穿刺キャップ１４の概略図
【図７】従来のレーザ穿刺装置の操作フローチャートを示す図
【符号の説明】
【００６３】
１  レーザ穿刺装置
２  本体
３  ディスプレー
４  設定ボタン
５  動作スイッチ
６  集光レンズ保護フィルム
７，１４  穿刺キャップ
８  穿刺フィルム
９  レーザ発振器
１０  電池
１１  制御基板
１２  集光レンズ
１３  中空体
１５  突起
１６  皮膚
１７  スピーカ
１８  メモリ
１９  プログラム
２０  周期音情報
２１  ＣＰＵ
２２  周期音処理部
【図１】
2008194348.tif 000003
【図２】
2008194348.tif 000004
【図３】
2008194348.tif 000005
【図４】
2008194348.tif 000006
【図５】
2008194348.tif 000007
【図６】
2008194348.tif 000008
【図７】
2008194348.tif 000009